(57)【要約】【課題】高い耐水性を備えた衣服用編物を提供する。【解決手段】衣服用の編物１は、裏地３と、裏地３との間に空間６を有する複数の山部４、及び複数の山部４の縁部であって裏地３に接続する網目状の谷部５を有し、これら山部４及び谷部５で凹凸面となるように裏地とともに編み上げられた表地２と、表地２及び裏地３をなす繊維の表面に形成された撥水被膜とを備えている。表地２及び裏地３の網目の大きさは、水を玉状にする表面張力が、毛細管現象により水を網目内へ引き込もうとする力に勝る範囲で設定されている。【選択図】  図２
2016079527.tif 000002
【特許請求の範囲】
【請求項１】
裏地と、
前記裏地との間に空間を有する複数の山部、及び複数の山部の縁部であって前記裏地に接続する網目状の谷部を有し、これら山部及び谷部で凹凸面をなす表地と、
前記表地及び裏地をなす繊維の表面に形成された撥水被膜と
を備えた衣服用編物。
【請求項２】
前記表地が裏地とともに編み上げられている請求項１の衣服用編物。
【請求項３】
水を玉状にする表面張力が毛細管現象により水を網目内へ引き込もうとする力に勝る範囲で、前記表地及び裏地の網目の大きさが設定されている請求項１又は２の衣服用編物。
【請求項４】
前記山部の少なくとも一部が前記裏地に対して傾斜している請求項１−３のいずれかの衣服用編物。
【請求項５】
請求項１−４のいずれかの衣服用編物からなる衣服。
【発明の詳細な説明】
【技術分野】
【０００１】
本発明は、水を通し難い衣服用編物に関する。
【背景技術】
【０００２】
伸縮性に富む編物は、その動き易さ等から下着、外衣、運動着、作業着等といった多種多様な用途に使用されている（特許文献１等参照）。
【先行技術文献】
【特許文献】
【０００３】
【特許文献１】特開２００６−００２２８３号公報
【発明の概要】
【発明が解決しようとする課題】
【０００４】
しかし、編物は無数の網目を有することから降雨に見舞われた場合等には水が網目を通過し、下着や肌を濡らして体を冷やしてしまう。中には撥水加工を施したものも散見されるが、編物をなす糸自体に撥水効果はあるものの、例えば長時間降雨に晒された場合には、浸水圧力に耐えきれず網目に水を通してしまう。
【０００５】
本発明はこうした事情からなされたもので、高い耐水性を備えた衣服用編物を提供することを目的とする。
【課題を解決するための手段】
【０００６】
上記目的を達成するために、第１の発明に係る衣服用編物は、裏地と、前記裏地との間に空間を有する複数の山部、及び複数の山部の縁部であって前記裏地に接続する網目状の谷部を有し、これら山部及び谷部で凹凸面をなす表地と、前記表地及び裏地をなす繊維の表面に形成された撥水被膜とを備えたことを特徴とする。
【０００７】
第２の発明に係るに係る衣服用編物は、第１の発明に係る衣服用編物において、前記表地が裏地とともに編み上げられていることを特徴とする。
【０００８】
第３の発明に係る衣服用編物は、第１又は第２の発明に係る衣服用編物において、水を玉状にする表面張力が毛細管現象により水を網目内へ引き込もうとする力に勝る範囲で、前記表地及び裏地の網目の大きさが設定されていることを特徴とする。
【０００９】
第４の発明に係る衣服用編物は、第１−第３のいずれかの発明に係る衣服用編物において、前記山部の少なくとも一部が前記裏地に対して傾斜していることを特徴とする。
【００１０】
第５の発明に係る衣服は、第１−第４のいずれかの発明に係る衣服用編物からなることを特徴とする。
【発明の効果】
【００１１】
本発明によれば、高い耐水性を備えた衣服用編物を提供することができる。
【図面の簡単な説明】
【００１２】
【図１】本発明の一実施形態に係る編物の外観（表面）を表す模式図である。
【図２】本発明の一実施形態に係る編物の断面図である。
【図３】本発明の一実施形態に係る編物からなる衣服の一例を表す図である。
【発明を実施するための形態】
【００１３】
以下に図面を用いて本発明の実施形態を説明する。
【００１４】
１．編物
図１は本発明の一実施形態に係る編物の外観（表面）を表す模式図、図２はその断面図である。図１では編物表面の凹凸が分かるように編物を斜めから見た状態を示してある。図１及び図２に示した編物１は、表地２及び裏地３の二重構造をしている。表地２及び裏地３はメリヤス編みの布（例えばジャージ）である。表地２は裏地３に対して縫い合わせても良いが、裏地３とともに（一体に）編み上げたものであることが好ましい。特に図示していないが、表地２及び裏地３をなす繊維には撥水加工が施されており、繊維の表面に撥水被膜が形成されている。表地２及び裏地３の網目の大きさは、例えば落下する水に対して斜めに角度を付ければ、繊維の撥水効果に起因して水を玉状にする表面張力が毛細管現象により水を網目内へ引き込もうとする力に勝り、水が一箇所に止まらなければ表地２及び裏地３の表面を伝って移動する範囲で設定されている。この範囲よりも網目が細かい分には構わない。具体例を挙げれば、運動着に用いられる一般的なジャージ程度の網目の大きさが該当する。
【００１５】
また、編物１を平らな場所に置くと、図２に示したように、裏地３は平面をなすのに対し、表地２は山部４及び谷部５を有する凹凸面をなしている。但し、裏地３も表地２と同じように凹凸面をなしていても良い。山部４は裏地３との間に空間６を介して対向していて、また谷部５を介して平面方向に複数並んでいる。従って、編物１を平面上に置いてみても、山部４の少なくとも大部分が裏地３に対して傾斜している。谷部５は複数の山部４の縁部であって表地２における裏地３との接続部であり、山部４の配列に倣って網目状に存在している。
【００１６】
２．衣服
図３は本発明の一実施形態に係る編物からなる衣服の一例を表す図である。図３に示した衣服１０は、上半身に着る運動着（運動着としてのジャージ）を例示したものであるが、本実施形態に係る編物は下半身に着る衣服に適用することができることは言うまでもなく、また運動着としてのジャージに限らず、その他の運動着、各種作業着、部屋着、寝間着、ゴルフ等の屋外スポーツで雨天時に着用する上着等、様々な衣服に適用できる。
【００１７】
３．効果
（１）耐水性
例えば一般的なジャージ製の衣服の場合、屋外で降雨に晒されたときには、繊維に撥水加工がしてあっても、例えば肩の部分等に止まった雨水に後続する雨粒が連続して落下してくれば徐々に網目に雨水が侵入してしまう。この場合、ジャージの裏側に接触する下着や肌に雨水が触れるので、下着や肌が濡れて体の冷えや不快感を招いてしまう。換言すれば、繊維自体は撥水しているにも関わらず、生地としては水を通してしまう。
【００１８】
それに対し、本実施形態の編物１で衣服を作った場合、まず表地２が凹凸面をなしているため大部分の雨粒は山部４に対して斜めに入射し、山部４に対して雨粒が衝突する際の力は分散されて弱まる。山部４の表面に対して垂直に入射する雨粒であっても、空間６が背後に存在する山部４のクッション効果により山部４に衝突する際の力は吸収されて弱まる。
【００１９】
また、雨粒が斜めに入射する又はクッション効果により往なされることにより雨粒は一点に止まり難く、曲面をなす山部４の傾斜に沿って谷部５に向かって積極的に移動する。谷部５に導かれた雨水は、山部４から流れ込む後続の雨水に押し退けられることにより又は自重により谷部５に沿って高速で流れる。つまり、雨水等を表地２の網目に侵入するよりも早く流すことができる。
【００２０】
更には、仮に山部４の網目に雨水が侵入したとしても、山部４の背後は空間６になっていて接触するものがないため接触物に引っ張られることがなく、雨水は表面張力により山部４の網目に止まった状態を維持する（行き場がなく網目に籠った状態となる）。
【００２１】
以上の作用により、本実施形態の編物１は、降雨下等でも表地２を介して水が裏地３に到達することを抑制することができるので、編物でありながら繊維の撥水効果を活かして高い耐水性を獲得することができる。高い耐水性を有することから衣服１０の内側の下着や肌が濡れることを抑制することができ、体の冷えや不快感を抑制することができる。事実、本願発明者が編物１を８時間流水に晒す実験を試みた結果、編物１を通過した水は皆無だった。
【００２２】
（２）保温性
衣服１０は、ウィンドブレーカ等の一般的な防水性の上着と異なり編物特有の十分な伸縮性を有していて、動き易く運動や各種作業に適している。この点でも編物で高い耐水性を実現したことのメリットは大きい。また、ウィンドブレーカ等では通気性がないため汗をかくと却って体を冷やしてしまうが、衣服１０の場合は通気性があるためウィンドブレーカ等に比べて汗による体の冷えを抑制することができ、また疲れ難いメリットもある。更には、空間６を有することによる断熱効果が得られ、冬季等でも暖かい。
【００２３】
（３）冷感性
使い方によっては冷感作用にも寄与し得る。例えば霧吹き等で水を微細な霧状にして吹きかけると、噴霧圧力と粒径の微細さによって表地２の網目に微細水滴を通過させ、空間６内に微量の水を入り込ませることができる。表地２を通過した微細水滴は噴霧圧力を失うとともに他の微細水滴と結合して粒径を増すことから裏地３は通過することなく空間６内に止まる。空間６に入れた水滴には外力が加わらないため、表面張力により玉状になり裏地３の網目に侵入することもなく、下着や肌が濡れることも基本的にない。絞り出したり脱水機にかけたりする等、積極的に圧力をかけなければ水滴は空間６内で比較的長時間蒸発することなく保持される。この状態とすることにより、空間６内に入り込ませた水滴により冷感作用が得られ、しかも長時間効果を持続させることができる。
【００２４】
（４）美観性
運動着としての一般的なジャージはフラットな生地でできていて色彩を使わずに柄を表現することができなかったのに対し、本実施形態の衣服１０は編物１の表地２の凸凹面自体が柄になるため、従来のジャージにはないデザイン性を有する。
【００２５】
（５）耐汚れ性
水が表地２に籠った状態になっても表地２を通過しない限り叩けば水分を払い落とせるので、次のような利点がある。例えば編物１の繊維は撥水剤で被覆されているため汚れが繊維の中にまでは浸透し難く、汗や泥等で汚れたとしても叩けば網目に籠った水と一緒に落ち易い。ジャージ素材の一般的な運動着等と比べても長期間清浄を保つ上で有利である。そのため、例えばライフラインが乏しい或いは絶たれた等の理由で洗濯に不自由な辺境地や被災地等の過酷な環境下で各種作業を行う場合にも本実施形態の衣服は有益である。非常袋に本実施形態の衣服１０を入れておけば、災害に対する備えにもなる。
【００２６】
（６）その他
使用に伴って繊維の撥水効果が弱まってきても、完全に撥水剤が落ち切ってさえいなければ、市販の撥水剤を使用することにより撥水効果を復元させることができ、耐水性を維持するためのメンテナンスも容易である。また、一般の洗濯洗剤で洗濯してもすぐさま撥水剤が落ちる訳ではないが、撥水剤を落とすことなく汚れを選択的に落とす洗剤（例えば株式会社エバニュー社製のＮＩＫＷＡＸ（登録商標）シリーズのもの）で用いれば洗濯回数をかなり重ねても撥水性が維持されるので、この場合には撥水効果の復元作業を殆ど行うことなく、耐水性を永続的に維持することができる。
【００２７】
更には、例えば表地２と裏地３を糸で縫い合わせた場合には、生地を引っ張ると縫い糸を通した網目が糸で引っ張られて広がってしまい、局所的に表面張力が著しく低下し得る。それに対し、表地２と裏地３を縫い合わせるのではなく立体的に編み上げることで、引っ張られた状態でも特定の網目が広がることがなくなる。これにより局所的な表面張力の低下を抑制することができ、耐水性向上の効果がより合理的に得られる。
【符号の説明】
【００２８】
１      編物
２      表地
３      裏地
４      山部
５      谷部
６      空間
１０    衣服
【図１】
2016079527.tif 000003
【図２】
2016079527.tif 000004
【図３】
2016079527.tif 000005